(57)【特許請求の範囲】
【請求項１】
雄ネジ付型枠下部締め付け具とスラブ構造鉄筋の配筋の形状に合わしてフック状に加工した鋼棒に長ナットを取り付けた金具を使った各種型枠上部の締め付け具を使用しない軽量中空スラブ型枠材を使った中空スラブ型枠及びスラブ構造鉄筋の浮き上がり防止金具
【請求項２】
フック状に加工した鋼棒の長さと雄ネジ付型枠下部締め付け具の雄ネジ長さの調節により中空スラブ型枠及びスラブ構造鉄筋浮き上がり防止に必要な床型枠からの必要高さを確保するとともに、床型枠とフック状に加工した鋼棒に取りつけた長ナットとの間に一定の空間を形成する請求項１の中空スラブ型枠及びスラブ構造鉄筋の浮き上がり防止金具を使った作業方法
【発明の詳細な説明】
【０００１】
【発明の属する技術分野】
本発明は軽量中空スラブ型枠材を使用した中空スラブ型枠及びスラブ構造鉄筋が、コンクリート打設時に浮き上がらないようにする金具とその金具を使った作業方法に関するものである。
【０００２】
【従来の技術】
従来、中空スラブ型枠用蓋付スパイラル管製品のように素材内部に空気層を有するものや発泡ポリスチレン等の比重の軽い素材を使用した軽量中空スラブ型枠材を使用した中空スラブ工法のコンクリート打設時の構造鉄筋浮き上がり防止には、スラブ上端構造鉄筋に対して、フック状に加工した鋼棒に型枠上部締め付け具（通称ピーコンと呼ばれる）を取り付けた金具を使い、まず上端構造鉄筋にフック部を掛け、鋼棒下部に取りつけた型枠上部締め付け具（通称ピーコンと呼ばれる）の雄ネジ部を床型枠にあけた穴から差込み、階下の天井型枠から突き出た前記雄ネジ部と、階下の雌ネジ状の型枠締め付け具（通称フォームタイと呼ばれる）を使い型枠に固定する方法であった。そして、浮き上がり防止金具を取りつけた後、コンクリート打設が終了した数日後、雌ネジ状の型枠締め付け具（通称フォームタイと呼ばれる）を取りはずす。次に、型枠を撤去したのちに再び、型枠上部締め付け具（通称ピーコンと呼ばれる）を取りはずし、作業を終了する。
【０００３】
【発明が解決しようとする課題】
従来の方式では、浮き上がり防止金具設置後、スラブコンクリートの打設が行われ、一定期間を経て、まず雌ネジ状の型枠締め付け具（通称フォームタイと呼ばれる）を取りはずす作業を行う。次にスラブコンクリートの強度が出た後の異なった日に、型枠作業者が型枠を取り外した後、スラブコンクリートに埋め込まれている型枠上部締め付け具（通称ピーコンと呼ばれる）を取り外し、浮き止め金具の必要作業が終了する。このように従来の方式は、作業日が異なる二回の型枠の締め付け金具類の取り外し作業が必要である上、固まった天井コンクリート部から型枠上部締め付け具（通称ピーコンと呼ばれる）をはずす作業は外れにくく時間がかかる作業である。このような煩雑なそして非効率な軽量中空スラブ型枠材を使用した中空スラブ型枠及びスラブ構造鉄筋の浮き上がり防止作業の作業性の向上と省力化すること、及び型枠上部締め付け具（通称ピーコンと呼ばれる）を使用しないことにより、金具取り外し後の穴が小さくなることによる天井型枠取り外し後のモルタルセメントによる天井地肌補修作業の簡便性を目的とする。
【０００４】
【課題を解決するための手段】
本発明は、軽量中空スラブ型枠材５を設置した中空スラブの構造鉄筋６又は７に対する浮き止め防止作業の作業効率と省力化を図る為に、従来使われていた型枠上部締め付け具（通称ピーコンと呼ばれる）を使用せず、フック状に加工した鋼棒４に金属製又は硬質プラスチック製の長ナット３を取り付け、床型枠９の階下より長ネジ２を外れないように加工した雄ネジ付型枠締め付け具１のネジ２を床型枠上に突き出し、この長ナット３に固定する。従来、床型枠９を挟んで型枠上部締め付け具（通称ピーコンと呼ばれる）と雌ネジ状の型枠締め付け具（通称フォームタイと呼ばれる）で床型枠９に固定していた浮き上がり防止金具設置方法からスラブ構造鉄筋６又は７に掛けたフック状に加工した鋼棒４と長ナット３とこの長ナット３に固定した雄ネジ付型枠締め付け具１との長さ調節によって、型枠上部締め付け具（通称ピーコンと呼ばれる）を省いた浮き上がり防止作業が可能となり、スラブコンクリート打設後の型枠締め付け具（通称ピーコンと呼ばれる）の取り外し作業が一回で済み作業性の向上と省力化ができる。次に、この金具類を使うと雄ネジ付型枠締め付け具１のネジ２の長さ調節により、この雄ネジ付型枠締め付け具１を取りはずした後、床型枠９とスラブコンクリート１０に埋め込まれた長ナット３との間に空間を形成でき、施工後、長ナット３がコンクリート天井部に露出せず、錆の発生を防止出来るとともに粗仕上げ時のモルタル塗布により簡単にネジ穴の補修ができる。
【０００５】
【発明の実施の形態】
まず、床型枠９に対して浮き上がり防止に必要な個所を電動ドリルで貫通穴をあける。次に上端構造鉄筋６もしくは下端構造鉄筋７の浮き止めに必要な長さのフック状に加工した鋼棒４に金属製又は硬質プラスチック製の長ナット３を取りつけた金具のフック部を上端構造鉄筋６もしくは下端構造鉄筋７の浮き止めに最適個所に掛ける。床型枠９の階下より、あらかじめ電動ドリルで開けておいた穴に対して、型枠締め付け具（通称フォームタイと呼ばれる）に両端雄ネジ状の軸足を型枠締め付け具（通称フォームタイと呼ばれる）に固定させた雄ネジ付型枠締め付け具１か一体成型した雄ネジ付型枠締め付け具１を製作し、そのネジ２を差込み、床型枠９の上部にあらかじめ設置しているフック状に加工した鋼棒４に金属製又は硬質プラスチック製の長ナット３を取りつけた金具の長ナット３に接続固定する。長ナット３の材質が金属製の場合、スラブコンクリート１０から、長ナット３の一部が露出すると錆の発生の原因となるので、構造鉄筋６又は７に掛けたフック状に加工した鋼棒４に金属製又は硬質プラスチック製の長ナット３を取りつけた金具の位置と、雄ネジ付型枠締め付け具１のネジ２の長さ調節により、長ナット３は常にスラブコンクリート１０の中に埋め込まれた状態の位置に来るように調節する。図２は下端構造鉄筋及び図４は上端構造鉄筋に浮き止め金具を設置した図である。中空スラブの構造鉄筋浮き上がり防止金具取り付け作業後、スラブコンクリート１０打設作業が行われ、養生期間の経過後、図４のように床型枠９が型枠作業者によってはずされた後、雄ネジ付型枠締め付け具１の取り外し作業を行い全工程を終了する。
【０００６】
【発明の効果】
この一連の金具を使った作業により、従来の軽量中空スラブ型枠材を使用した中空スラブの構造鉄筋浮き上がり防止作業の中で一番手間が掛かっていたスラブコンクリート打設作業後の型枠上部締め付け具（通称ピーコンと呼ばれる）の取り外し作業がなくなり、作業の効率化と作業日が異なる二回の型枠締め付け金具の取り外し作業が一回に減り、省力化ができるようになる。
【０００７】
合わせて、この長ナットからネジ付型枠締め付け具を取り外した後の穴は、従来使用していた型枠上部締め付け具（通称ピーコンと呼ばれる）を取り外した穴に比べて小さいため天井型枠取り外し後のモルタルセメントによる天井地肌補修作業も簡単となる。
【図面の簡単な説明】
【図１】本発明に関する浮き上がり防止金具である雄ネジ付型枠下部締め付け具とフック状に加工した鋼棒に長ナットを取り付けた金具の斜視図である。
【図２】スラブ上端構造鉄筋に浮き上がり防止金具を配置した図である。
【図３】スラブ下端構造鉄筋に浮き上がり防止金具を配置した図である。
【図４】スラブコンクリート打設後のスラブ内のフック状に加工した鋼棒に長ナットを取り付けた金具の埋め込み位置と雄ネジ付型枠下部締め付け具の取り外し図である。
【符号の説明】
１  雄ネジ付型枠締め付け具
２  雄ネジ付型枠締め付け具の雄ネジ部
３  両端雌ネジ長ナット
４  フック状に加工した鋼棒
５  軽量中空スラブ型枠材
６  上端構造鉄筋
７  下端構造鉄筋
８  スペーサー
９  床型枠
１０  スラブコンクリート
【図１】
0003742962.tif 000002
【図２】
0003742962.tif 000003
【図３】
0003742962.tif 000004
【図４】
0003742962.tif 000005